(57)【特許請求の範囲】
【請求項１】
記録媒体に記録されたコンテンツを再生するコンテンツ再生装置であって、
前記コンテンツは再生の指定が可能な再生単位に区分され、前記再生単位は１または２以上のファイルで構成され、
前記ファイルのファイル名は再生単位内における再生順序と繰り返し再生時の再生条件を示すファイル種別を含み、
再生単位の指定を受け付ける受付手段と、
再生単位の再生の繰り返し回数を設定する設定手段と、
受付手段で受け付けた再生単位のファイルのファイル名の再生順序と再生条件と前記設定手段で設定された再生の繰り返し回数とに基づいて再生の制御を行う制御手段とを備える、コンテンツ再生装置。
【請求項２】
前記再生条件は、「初回の再生時のみ再生する」、「毎回の再生時に再生する」、「最終回の再生時のみ再生する」、のいずれかである、請求項１記載のコンテンツ再生装置。
【請求項３】
前記再生条件はさらに「単発再生する」を含み、
前記受付手段は、前記再生条件が「単発再生する」ファイルの指定が可能であり、
前記制御手段は、
前記受付手段の指定がファイルで、指定されたファイルの再生条件が「単発再生する」場合、前記繰り返し回数にかかわらず指定されたファイルを１回再生するように制御し、
前記受付手段の指定が再生単位である場合、再生しないように制御する、請求項２記載のコンテンツ再生装置。
【請求項４】
画像を読み取る画像読取手段をさらに備え、
前記受付手段は、前記画像読取手段で読み取った画像に基づいて指定を受け付ける請求項１〜３のいずれか１項に記載のコンテンツ再生装置。
【発明の詳細な説明】
【技術分野】
【０００１】
本発明は、コンテンツ再生装置に関し、特に、複数のファイルを順次再生するコンテンツ再生装置に関する。
【背景技術】
【０００２】
従来から、コンテンツファイルを再生させる装置について、種々技術が開示されている。なお、従来の一般のコンテンツ再生装置画像データや音声データなどのコンテンツファイルを再生させる場合、複数のファイルの再生順序などをユーザが指定する必要があり、ユーザが煩雑に感じる場合があった。
【０００３】
ここで、特許文献１（特開２００４−１２０５５１号公報）には、データ再生装置において、各ファイル名やディレクトリ名にデータの再生順序または再生時間を決定する再生情報を含ませる技術が開示されている。具体的には、当該再生装置は、連続再生要求を受けた場合またはメモリカードを装着された場合に、メモリカードにアクセスし、当該メモリカードに存在する画像データのファイル名およびディレクトリの一覧を取得し、ファイル名およびファイルの存在するディレクトリ名を示す文字列の一部に含まれる再生制御情報に基づいて、連続再生の対象のファイルを抽出し、また、繰返し再生の回数を決定する。
【先行技術文献】
【特許文献】
【０００４】
【特許文献１】特開２００４−１２０５５１号公報
【発明の概要】
【発明が解決しようとする課題】
【０００５】
しかしながら、特許文献１に記載の再生装置では、ファイル名やディレクトリ名によって再生される再生対象のファイルやその繰り返し再生の回数が決定される。このため、どのファイルを再生対象とするかを変更したり、繰り返し再生の回数を変更したりする場合、再生装置における設定内容を変更する必要が生じる。したがって、ファイルの再生パターンにバリエーションを持たせようとした場合、煩雑な操作を必要とされることとなっていた。
【０００６】
本発明はかかる実情に鑑み考え出されたものであり、その目的は、コンテンツ再生装置において、煩雑な操作を要することなく、ファイルの再生パターンにバリエーションを持たせることができるようにすることである。
【課題を解決するための手段】
【０００７】
本発明のコンテンツ再生装置は、記録媒体に記録された複数のファイルを再生するコンテンツ再生装置であって、ファイルの指定を受付ける受付手段と、受付手段が指定を受付けたファイルのファイル名から識別情報を検出する検出手段と、検出手段が検出した識別情報に基づいて指定されたファイルのファイル名が所定条件を満たすか否かを判別した結果に応じて、指定されたファイルの次に再生されるファイルを指定する指定手段とを備える。
【０００８】
また、本発明のコンテンツ再生装置では、ファイルを繰り返し再生する回数を設定する設定手段をさらに備え、所定条件は、指定されたファイルが設定手段によって設定された回数分再生されたことであることが好ましい。
【０００９】
また、本発明のコンテンツ再生装置では、所定条件は、指定されたファイルのファイル名に含まれる番号が、直前に再生されたファイル名に含まれる番号の昇順で次のファイルとなることであることが好ましい。
【００１０】
また、本発明のコンテンツ再生装置では、所定条件は、指定されたファイルのファイル名に含まれる文字列の種類が特定の種類であることであることが好ましい。
【００１１】
また、本発明のコンテンツ再生装置は、表示手段をさらに備え、受付手段は、表示手段に表示された画像を読み取ることにより、ファイルの指定を受け付けることが好ましい。
【００１２】
また、本発明のコンテンツ再生装置では、指定手段は、所定条件を満たす２以上のファイルからランダムに、次に再生するファイルを指定することが好ましい。
【００１３】
また、本発明のコンテンツ再生装置では、複数のファイルは、第１群のファイルと第２群のファイルとを含み、所定条件は、第２群のファイルが指定されることなく第１群のすべてのファイルが指定されたことであることが好ましい。
【発明の効果】
【００１４】
本発明によれば、複数のファイルの中から、受付手段において指定を受け付けられたファイルのファイル名が所定条件を満たすか否かに応じて、次に再生されるファイルが指定される。これにより、指定するファイルのファイル名を変更することによって、コンテンツ再生装置において、特に設定を変更するための操作を要することなく、次に再生するファイルにバリエーションを持たせることができる。
【００１５】
したがって、コンテンツ再生装置において、ユーザに煩雑な設定操作を課すことなく、ファイルの再生パターンにバリエーションを持たせることができる。
【図面の簡単な説明】
【００１６】
【図１】本発明のコンテンツ再生装置装置の一実施の形態である再生装置の外観を示す図である。
【図２】図１の再生装置がテキストとともに利用される状態を模式的に示す図である。
【図３】図１の再生装置のブロック図である。
【図４】図１の再生装置において実行される１回再生処理のフローチャートである。
【図５】図４の１回再生処理によるファイルの再生順序を説明するための図である。
【図６】図１の再生装置において実行される３回再生処理のフローチャートである。
【図７】図１の再生装置において実行される３回再生処理のフローチャートである。
【図８】図６および図７の３回再生処理によるファイルの再生順序を説明するための図である。
【図９】図１の再生装置と組み合わされて利用されるテキストの内容の一例を模式的に示す図である。
【図１０】図１の再生装置と組み合わされて利用されるテキストの内容の他の例を模式的に示す図である。
【図１１】図１の再生装置と組み合わされて利用されるテキストの内容のさらに他の例を模式的に示す図である。
【図１２】図３の変形例を示す図である。
【発明を実施するための形態】
【００１７】
以下、本発明の一実施の形態について、図面を参照して、説明する。なお、各図において、同じ機能を奏する要素については、同一の参照符号を付し、その説明は繰返さない。
【００１８】
［１．再生装置の外観］
図１の（Ａ）〜（Ｄ）は、本発明のコンテンツ再生装置の一実施の形態である再生装置１の外観を示す図である。図１の（Ｂ）は、再生装置１の上面図であり、（Ａ）は左側面図であり、（Ｃ）は右側面図であり、（Ｄ）は底面図である。
【００１９】
再生装置１は、当該再生装置１の内部に記憶された、または、再生装置１に対して着脱可能な記録媒体（後述するリムーバブルメディア１００）に記録された複数のファイルを順次再生する。ファイルが再生されることにより、スピーカ５０を介して音声が出力される。
【００２０】
また、再生装置１の先端には、画像読取部７０が設けられている。画像読取部７０は、たとえば、ＣＭＯＳ（Complementary Metal Oxide Semiconductor）センサからなる。
【００２１】
本実施の形態の再生装置１は、学習用に利用されるものであり、学習用のテキスト（教本）とともに利用される。具体例としては、再生装置１は、図２に示されるように、テキストのページ９００に印刷された画像９０１に画像読取部７０を対向させることにより、画像９０１を読込む。そして、再生装置１では、読込まれた画像に対して画像認識が行なわれ、当該認識結果が、所定の情報に変換される。所定の情報は、ファイルを指定する情報を含む。読込んだ画像をファイルを指定する情報等の情報へと変換する技術については、公知の技術を有することができ、たとえば、ＱＲコード（Quick Response code）を利用した技術を利用することができる。
【００２２】
図１に戻って、再生装置１は、その左側面に、電源のオン／オフを切換えるためのスイッチ６７と、後述するファイルの再生モード（１回再生モードか、３回再生モードか）を設定するためのスイッチ６６を含む。また、当該左側面には、再生装置１の本体１Ａ内に、上記した本体１Ａに対して着脱可能な記録媒体を挿入するための挿入３１が配置されている。
【００２３】
再生装置１の上面には、ファイルの再生を開始させる再生ボタン６１、再生対象を次のファイルに変更するための早送りボタン６３と、前のファイルを再生させるための巻戻しボタン６２と、スピーカ５０を介して出力される音量を調整するためのボリュームボタン６４，６５を設けられている。
【００２４】
また、図１の（Ｃ）に示されるように、再生装置１は、その右側面に、外部から商用電力を供給されるためＡＣ（Alternating Current）アダプタを挿入するための端子２１を含む。後述するバッテリ２０は、外部の商用電力により充電される。また、再生装置１は、その底面に、再生装置１をホールド状態とするために操作されるスイッチ６８と、再生装置１内に収容されるバッテリ２０（後述）を着脱可能に本体１Ａ内で収容するための蓋６９が設けられている。
【００２５】
図２を参照して、ページ９００には、画像９０１の他に、画像９０２〜９０５が印刷されている。再生装置１では、画像９０１を撮影することにより生成された画像を認識して、認識された画像データを、ファイルを指定する情報に変換する。そして、再生装置１では、当該指定されたファイルが再生される。
【００２６】
なお、ページ９００では、ボールに対応した画像９０２、本に対応した画像９０３、飛行機に対応した画像９０４および鉛筆に対応した画像９０５を含む。再生装置１は、これらの画像９０２〜９０５のそれぞれ（の特定の場所）に画像読取部７０を当接させることによって、画像９０２〜９０５のそれぞれに対応するファイルを再生することもできる。
【００２７】
［２．ブロック構成］
図３は、再生装置１のブロック図である。
【００２８】
図３を参照して、再生装置１は、当該再生装置１の動作を全体的に制御するＣＰＵ（Central Processing Unit）１０を含む。また、再生装置１は、メモリ４０と、スピーカ５０と、バッテリ２０と、メディアコントローラ３０と、キー入力部６０とを含む。
【００２９】
メモリ４０は、たとえば、フラッシュメモリなどの不揮発性メモリや、ＳＤＲＡＭ（synchronous Dynamic Random Access Memoryなどの揮発性メモリを含む。メモリ４０は、ＣＰＵ１０が実行するプログラムを記憶するプログラム記憶部４１と、ＣＰＵ１０がプログラムを実行する際に利用するデータを記憶するデータ記憶部４２と、コンテンツを構成するファイルを記憶するファイル記憶部４３とを含む。スピーカ５０は、音声復号部５１を介して、ＣＰＵ１０に接続されている。キー入力部６０は、図１を参照して説明したスイッチ６１〜６８を含む。
【００３０】
ＣＰＵ１０は、その機能として、取得部１１、指定部１３および画像処理部１５を含む。これらの各部は、ＣＰＵ１０がプログラム記憶部４１に記憶されたプログラムを実行することによって実現されてもよいし、これらの少なくとも一部は専用の回路によってハードウェア的に構成されてもよい。
【００３１】
ＣＰＵ１０は、メディアコントローラ３０を介して、リムーバブルメディア１００に対するデータの読込および書込みを行なう。再生装置１において再生されるファイルは、ファイル記憶部４３ではなくリムーバブルメディア１００に記憶されていてもよい。
【００３２】
［３．コンテンツのデータ構造］
本実施の形態では、コンテンツの一例として、学習用教材に関連した音声ファイルが挙げられる。本実施の形態において、ファイル記憶部４３には、次の表１に示されるように音声ファイルが格納される。
【００３３】
【表１】
0005312412.tif 000002
【００３４】
ファイル記憶部４３は、教材フォルダと、学習単位フォルダと、トラック単位フォルダと、音声ファイルとが格納されている。トラック単位フォルダには、１または２以上の音声ファイルが保存されている。そして、学習単位フォルダには、１または２以上のトラック単位フォルダが格納されている。そして、教材フォルダには、１または２以上の学習単位フォルダが格納されている。つまり、教材フォルダと学習単位フォルダと、トラック単位フォルダと、音声ファイルとの階層関係は、表２に示されるようなものとなる。
【００３５】
【表２】
0005312412.tif 000003
【００３６】
表２には、本実施の形態における教材フォルダと学習単位フォルダとトラック単位フォルダと音声ファイルのそれぞれについての、フォルダやファイルの意味等と、その名称（フォルダ名およびファイル名）の表記ルールが示されている。
【００３７】
教材フォルダ、学習単位フォルダ、およびトラック単位フォルダのそれぞれは、各名称は、先頭の２桁が数字とされるルールを有している。なお、先頭２桁の数字は、０１〜９９の範囲とされる。
【００３８】
音声ファイルのファイル名は、先頭２桁が数字とされ、３桁目が再生される際の種別を表わす情報とされる。つまり、音声ファイルのファイル名は、少なくとも３桁の文字列を含む。
【００３９】
また、表２から理解されるように、教材フォルダ内の複数の学習単位フォルダは、それぞれ互いに異なる２桁の数字を先頭とするフォルダ名を有する。また、学習単位フォルダ内に複数のトラック単位フォルダが格納されている場合、それらは、互いに異なる先頭２桁の数字を有するフォルダ名を有する。たとえば、表２では、フォルダ名が「02」である学習単位フォルダにおいて、フォルダ名「01」とフォルダ名「02」の２つのトラック単位フォルダが、互いに、先頭２桁の数字が異なるフォルダ名を有する。
【００４０】
［４．ファイル種別］
表１を参照して、説明したように、本実施の形態の音声ファイルのファイル名の３桁目には、再生に関する種別を表わす情報が配置されている。具体的には、大文字のアルファベットが配置されている。
【００４１】
表３に、各アルファベットについての再生条件を示す。
【００４２】
【表３】
0005312412.tif 000004
【００４３】
本実施の形態では、ファイル種別を表わすアルファベットとしては、「Ａ」〜「Ｅ」が利用されている。
【００４４】
本実施の形態では、ファイルの再生モードとして、１回再生モードと３回再生モードの２つのモードを含む。１回再生モードは、先頭に付された２桁の数字の昇順で１回ずつ再生するモードである。３回再生モードは、同一のトラック単位フォルダ内の当該種別のファイルを、たとえばファイル名の昇順の順番で連続して再生し、そのような連続した再生を３回繰返すモードである。なお、ユーザは、スイッチ６６を操作することにより、再生装置１のモードを、１回再生モードまたは３回再生モードに設定することができる。
【００４５】
表３では、ファイル種別を表わす記号「Ａ」〜「Ｅ」のそれぞれについて、１回再生モードと３回再生モードのそれぞれでの、ファイル種別毎の再生パターンが示されている。
【００４６】
ファイル種別「Ａ」は、通常ファイル、つまり、本実施の形態の教材コンテンツにおいて、個々の会話文などの構成要素である。ファイル種別「Ａ」のファイルは、１回再生モードでは、ファイル名の先頭の２桁の数字の昇順で、同じトラック単位フォルダ内のこの種別のファイルの再生が１回ずつ行なわれる。一方、３回再生モードでは、種別「Ａ」のファイルは、同じトラックフォルダ内の「Ａ」のファイルが、そのファイル名の先頭２桁の数字についての昇順の順序で、再生される。なお、これらの再生は、昇順で、最初から最後までの再生を３回繰返される。
【００４７】
ファイル種別「Ｂ」のファイルは、以下適宜「説明文ファイル１」と言い、たとえば、教材のページ毎に対応させられた、学習の仕方を説明する音声内容であることが考えられる。ファイル種別「Ｂ」のファイルについては、１回再生モードでは、指定されたファイルを１回再生させた後、ファイル種別「Ａ」の音声ファイルの、教材フォルダ内のすべての通常ファイルを、ファイル名の先頭２桁の昇順で、再生させる。
【００４８】
ファイル種別「Ｃ」のファイルは、以下適宜「説明文ファイル２」と言う。このようなファイルは、たとえば、テキストのページをめくることについての効果音の音声ファイルが挙げられる。ファイル種別「Ｃ」のファイルは、１回再生モードでは、当該ファイル種別「Ｃ」のファイルを１回再生させた後、同じ教材フォルダ内のすべての通常ファイルを、そのファイル名の先頭２桁の数字の昇順の順に、順番に１回ずつ再生させる。３回再生モードでは、当該ファイル種別「Ｃ」が格納されているトラックフォルダと同じトラックフォルダ内の、上記「通常ファイル」の昇順でのすべてのファイルの再生を３回連続して行ない、そして、３回目の再生が終了すると、その次に、ファイル種別「Ｃ」のファイルが再生される。
【００４９】
ファイル種別「Ｄ」は、以下適宜「単発ファイル」とも言う。このファイルは、「かけ声」に対応するようなメッセージの音声ファイルなど、他の音声ファイルとは意味的に関連を有しない音声ファイルが挙げられる。１回再生モードでは、ファイル種別「Ｄ」のファイルが１回再生されると、その時点で、連続してファイルを再生する動作が停止する。なお、本実施の形態では、基本的には、音声ファイルの先頭２桁の数字が昇順で、再生対象に指定されていく。但し、ファイル種別「Ｄ」のファイルについては、画像読取部７０などによって直接指定された場合には、再生がなされるが、再生が行なわれているときに再生順が回ってきた場合には、このファイルの再生はスキップされる。
【００５０】
３回再生モードでは、上記したように直接再生対象として指定された場合には、当該ファイルが３回連続して再生された後、連続して再生する動作が停止される。但し、上記したように、複数のファイルが、各ファイル名の先頭２桁の数字についての昇順で連続して再生されているときに、再生順が回ってきた場合には、ファイル種別「Ｄ」の再生はスキップされる。
【００５１】
ファイル種別「Ｅ」のファイルは、トラック毎に１度だけ再生されるメッセージに対応する音声ファイルであり、以下適宜「強制単発ファイル」と言う。ファイル種別「Ｅ」の音声ファイルは、１回再生モードでは、このファイルが直接再生対象として指定された場合には、１回再生されて、再生動作が一時停止される。但し、上記したような音声ファイルのファイル名の連続再生における再生順が回ってきた場合には、このファイルの再生がスキップされる。３回再生モードでは、ファイル種別「Ｅ」の音声ファイルは、直接再生対象として指定された場合には、１回再生されて、再生動作が停止される。但し、上記したファイル名についての昇順での再生順が回ってきた場合には、このファイルの再生はスキップされる。
【００５２】
［５．１回再生処理］
再生装置１における、１回再生モードでのファイルの再生について、具体的に説明する。
【００５３】
ここでは、次の表４に示すトラック単位フォルダに格納された、８個の音声ファイルの再生について説明する。なお、８個の音声ファイルのファイル名は、「01B」「02A」「03A」「04A」「05A」「06C」「07D」「08E」である。また、ファイル名「02A」「03A」「04A」「05A」は、それぞれ、テキストのあるページについての、４つの本文（本文１〜本文４）に対応する音声ファイルである。また、ファイル名「01B」は、本文１〜本文４の聞き方を説明する音声のファイルである。また、ファイル名「06C」は、本文１〜本文４についての最後のまとめに対応する音声のファイルである。また、ファイル名「07D」の音声ファイルは、歓声などの、他の音声ファイルとは内容的に関連のないメッセージ（次に続かない文）についての音声ファイルである。また、ファイル名「08E」の音声ファイルは、ページをめくる音声などの、テキストの当該ページの学習の最後に、１度だけ再生する音声の音声ファイルである。
【００５４】
【表４】
0005312412.tif 000005
【００５５】
図２のページ９００に画像９０１として示したように、テキストのページにおいて最初にさせるべき音声に対応する画像が画像読取部７０を対向することによって再生装置１に取込まれると、画像処理部１４は、画像読取部７０から取込まれた画像を処理することにより、当該画像に対応するファイルを特定する。
【００５６】
ファイルが特定されると、取得部１１は、ファイル記憶部４３またはリムーバブルメディア１００から、当該ファイルのデータを取得する。そして、取得部１１は、取得したファイルのデータを、音声復号部５１へ送る。これにより、当該ファイルのデータに対応した音声がスピーカ５０から出力される。
【００５７】
本実施の形態では、上記のような画像が画像読取部７０によって取込まれると、画像処理部１４は、対応するファイル名として、ファイル名「01B」を取得する。これにより、取得部１１は、ファイル名「01B」のデータを取得して、音声復号部５１へ送る。これにより、ファイル名「01B」の音声が、スピーカ５０から出力される。
【００５８】
以下、再生装置１において、１回再生モードで音声ファイルの再生が行なわれる際に実行される処理（１回再生処理）について、当該処理のフローチャートである図４を参照して説明する。
【００５９】
図４を参照して、１回再生処理では、まずステップＳＡ１０で、再生対象となるファイルの指定があったか否かを判断し、あったと判断するとステップＳＡ２０へ処理を進める。ここで、再生対象のファイルの指定とは、たとえば、画像読取部７０が取込んだ画像が、再生対象のファイルを指定する情報に対応する画像である場合が挙げられる。
【００６０】
ステップＳＡ２０では、指定されているファイルのファイル名の３桁目（ファイル識別記号）の文字が、Ａ、Ｂ、または、Ｃであるかを判断し、Ａ、Ｂ、または、Ｃであると判断するとステップＳＡ３０へ処理を進め、それ以外（ＤまたはＥ）であると判断するとステップＳＡ４０へ処理を進める。
【００６１】
ステップＳＡ３０では、指定されたファイルを１回再生させた後、次に再生させるファイルとして、現在指定されているファイル名の先頭の２桁の数字を１加算更新して得られた数字を先頭の２桁の数字として有するファイルを指定して、ステップＳＡ２０へ処理を進める。
【００６２】
表４に示した例では、たとえば、最初にファイル名「01B」のファイルが指定されて、ステップＳＡ３０で当該ファイルが再生された場合、次に指定されるファイルは、「01」を１加算更新した「02」を先頭２桁の数字として有するファイル、つまり、表４中のファイル名「02A」のファイルである。
【００６３】
また、このようにファイル名「02A」が指定された場合、ステップＳＡ３０で次に指定されたファイルは、「02」を１加算更新した「03」を先頭２桁の数字として有するファイル、つまり、表４中のファイル名「03A」のファイルである。
【００６４】
一方、ステップＳＡ４０では、現在指定されているファイルと同じトラック単位フォルダに格納されているファイル名の、先頭２桁の数字が、現在の再生対象の当該数字より１つ低いファイルの次に再生順が回ってきたか否かを判断し、そうであると判断するとステップＳＡ５０へ処理を進め、そうではないと判断するとステップＳＡ６０へ処理を進める。ここでの「再生順」とは、再生対象として指定された順序である。
【００６５】
なお、ステップＳＡ３０でファイル「05A」のファイルが再生された場合、次に再生対象として指定されるファイルは、先頭２桁の数字が１加算更新されたファイル名を有するファイルであるため、ファイル「06C」である。また、ステップＳＡ３０でファイル「06C」のファイルが再生された場合、次に再生対象として指定されるファイルは、ファイル「07D」である。ファイル「07D」が指定されると、処理は、ステップＳＡ４０への後、ステップＳＡ５０へ進められる。
【００６６】
一方、ステップＳＡ１０でファイル名「07D」が再生対象として指定された場合、つまり、画像読取部７０を介して「07D」を指定する情報が入力された場合には、ファイル名「07D」の再生順が、ファイル名「06C」の次に回ってきたものではないため、ステップＳＡ６０へ処理が進められる。
【００６７】
ステップＳＡ５０では、現在再生対象として指定されているファイルを再生させることなく、再生対象とされているファイルのファイル名の先頭２桁の数字を１加算更新したファイルを有するファイルが、新たな再生対象のファイルとして指定されて、ステップＳＡ２０へ処理が戻される。ステップＳＡ５０に処理が進められたときに、再生対象としてファイル名「07D」のファイルが指定されていた場合には、新たな再生対象のファイルとして「08E」が指定されることになる。
【００６８】
一方、ステップＳＡ６０では、現在再生対象として指定されているファイルを１回再生して、１回再生処理を終了させる。
【００６９】
以上説明した１回再生処理によれば、表４に示したトラック単位フォルダに格納される音声ファイルは、図５に示す順序で、再生される。つまり、ファイル名「01B」「02A」「03A」「04A」「05A」「06C」の順序で、ファイルが再生される。なお、ファイル名「07D」とファイル名「08E」は、１回再生処理のような連続再生処理ではなく、直接これらのファイルが再生対象として指定されることによってのみ、再生される。
【００７０】
［６．３回再生処理］
次に、トラック単位フォルダ内の全部または一部のファイルを３回繰返して再生させる処理（３回再生処理）について、当該処理のフローチャートである図６および図７を参照して説明する。
【００７１】
まず、ステップＳ１０で、再生装置１に対して再生対象となるファイルを指定する情報が入力されたか否かを判断し、入力されたと判断するとステップＳ２０へ処理を進める。
【００７２】
ステップＳ２０では、この３回再生処理において利用されるカウンタをリセットして、ステップＳ３０へ処理が進められる。
【００７３】
ステップＳ３０では、現在再生対象として指定されているファイルのファイル種別記号がＢであるか否かを判断し、そうであると判断するとステップＳ４０へ処理が進められ、そうではないと判断されるとステップＳ６０へ処理が進められる。
【００７４】
なお、ファイル種別記号がＢであるか否かは、現在再生対象として指定されているファイルのファイル名の３文字目がＢであるか否かによって判断される。
【００７５】
ステップＳ４０では、現在再生対象として指定されているファイルを再生させて、ステップＳ５０へ処理が進められる。なお、ステップＳ４０では、カウンタのカウント値が０の場合のみファイルの再生がなされた後ステップＳ１５０へ処理が進められ、それ以外の場合には再生がスキップされてステップＳ５０へ処理が進められる。
【００７６】
ステップＳ５０では、現在再生対象として指定されているファイルのファイル名の先頭２桁の数字が１加算更新されたファイル名を有するファイルを、新たに再生対象として指定して、ステップＳ３０へ処理が戻される。
【００７７】
一方、ステップＳ６０では、現在再生対象として指定されているファイルのファイル種別記号がＡであるか否かが判断され、そうであると判断されるとステップＳ７０へ処理が進められ、そうではないと判断されるとステップＳ１５０へ処理が進められる。
【００７８】
ステップＳ７０では、再生対象として指定されたファイルが再生されて、ステップＳ８０へ処理が進められる。
【００７９】
ステップＳ８０では、現在再生対象として指定されているファイルを含むトラック単位フォルダの中で、現在指定されているファイルが、ファイル種別記号がＡのものの中で、先頭２桁の数字が最大のものであるか否かが判断され、そうであると判断されるとステップＳ９０へ処理が進められ、そうではないと判断されるとステップＳ１００へ処理が進められる。
【００８０】
ステップＳ９０では、カウンタのカウント値が１加算更新されて、ステップＳ１００へ処理が進められる。
【００８１】
ステップＳ１００では、カウンタのカウント値が３となったか否かが判断され、３となったと判断されると３回再生処理が終了する。
【００８２】
ステップＳ１２０では、ステップＳ８０と同様に、現在再生対象として指定されているファイルのファイル名の先頭２桁の数字が、当該ファイルを含むトラック単位フォルダ内の、ファイルの中で最大であるか否かが判断され、そうであると判断されると、ステップＳ１３０へ処理が進められ、そうではないと判断されるとステップＳ１４０へ処理が進められる。
【００８３】
ステップＳ１３０では、次の再生対象のファイルとして、現在のトラック単位フォルダの中で、ファイル名の先頭の２桁の数字が最小のファイルを、新たな再生対象のファイルとして指定して、ステップＳ３０へ処理が戻される。
【００８４】
ステップＳ１４０では、ステップＳ１１０と同様に、次の再生対象のファイルとして、先頭２桁の数字を１加算更新された値を先頭２桁の数字として有するファイル名を、新たな再生対象のファイルとして指定されて、ステップＳ３０へ処理が戻される。
【００８５】
図７を参照して、ステップＳ６０で、再生対象のファイル名のファイル種別記号がＡではないと判断されると、ステップＳ１５０で、当該ファイル種別記号がＣであるか否かが判断され、そうであると判断されるとステップＳ１６０へ処理が進められ、そうではないと判断されるとステップＳ１８０へ処理が進められる。
【００８６】
ステップＳ１６０では、再生対象として指定されているファイルが再生されて、ステップＳ１７０へ処理が進められる。なお、ステップＳ１６０では、カウンタのカウント値が２の場合のみファイルの再生がなされた後ステップＳ１７０へ処理が進められ、それ以外の場合には当該ファイルの再生がスキップされてステップＳ１７０へ処理が進められる。
【００８７】
ステップＳ１７０では、ファイル名の先頭２桁の数字が１加算更新された数字を先頭２桁として有するファイルが、新たな再生対象のファイルとして指定されて、ステップＳ３０へ処理が戻される。
【００８８】
ステップＳ１８０では、現在再生対象として指定されているファイルのファイル種別記号がＤではあるか否かが判断され、そうであると判断されるとステップＳ１９０へ処理が進められ、そうではないと判断されるとステップＳ２１０へ処理が進められる。
【００８９】
ステップＳ１９０では、直前に再生されたファイルが、現在処理対象のファイルの先頭２桁の数字より１つ低い値を先頭２桁の数字として有するファイルであったか否かが判断され、そうであると判断されると、ステップＳ８０へ処理が戻される。一方、そうではないと判断されるとステップＳ２００へ処理が進められる。
【００９０】
ステップＳ２００では、再生対象として指定されているファイル（ファイル種別記号がＤであるファイル）が３回連続で再生されて、３回再生処理が終了する。
【００９１】
ステップＳ２１０では、ステップＳ１９０と同様に、直前に再生されたファイルが、現在処理対象のファイルの先頭２桁の数字より１つ低い値を先頭２桁の数字として有するファイルであったか否かが判断され、そうであると判断されると、ステップＳ８０へ処理が戻される。一方、そうではないと判断されるとステップＳ２２０へ処理が進められる。
【００９２】
ステップＳ２２０では、現在再生対象であるファイル（ファイル種別記号がＥであるファイル）が１回再生されて、３回再生処理が終了する。
【００９３】
以上説明した３回再生処理では、ファイル名「01B」に対応するテキスト上の画像に画像取得部７０が対向させられることにより当該画像が再生装置１に取込まれると、ステップＳ１０で、ファイル名「01B」が再生対象として指定されたとして、ステップＳ２０へ処理が進められる。そして、カウンタがリセットされて、ステップＳ３０へ処理が進められる。現在指定されているファイルのファイル種別記号がＢであるので、処理はステップＳ４０へ進められる。
【００９４】
ステップＳ４０では、ファイル名「01B」のファイルが再生され、ステップＳ５０へ処理が進められる。これにより、図８における再生順序１が、ファイル名「01B」とされる。
【００９５】
ステップＳ５０では、ファイル名の先頭２桁の数字が１加算更新された値をファイル名の先頭２桁に有するファイル名、つまり、ファイル名「02A」が再生対象として指定されて、ステップＳ３０へ処理が戻される。次の再生対象のファイルのファイル種別記号はＡであるため、ステップＳ３０からステップＳ６０を経て、ステップＳ７０へ処理が進められる。
【００９６】
ステップＳ７０では、指定されたファイルが再生されて、ステップＳ８０へ処が進められる。
【００９７】
これにより、図８の再生順序２が、ファイル名「02A」とされる。
そして、トラック単位フォルダ内の、最大の番号（先頭２桁の数字）を有するファイルが再生対象として指定されるまで、ステップＳ１１０で先頭２桁の数字が１加算更新されて新たな再生対象のファイルが指定される。これにより、図８に再生順序３、４、５として示すように、ファイル名「03A」「04A」「05A」が、順に、再生される。
【００９８】
表４に示した例では、先頭２桁の数字が最大のファイルが、「05A」である。これにより、ファイル名「05A」が再生されると、カウンタが１加算更新され（ステップＳ９０）、そして、ファイル種別記号がＡであるファイルの中で、先頭２桁の数字が最小のファイルが、新たに再生対象として指定される。これにより、再生順序５で「05A」が再生された後、再生順序６で、「02A」が再生される。このように、「02A」〜「05A」のファイルの再生が３回繰返される。そして、これらのファイルの３回目の再生が終了したと判断されると（ステップＳ１００でＹＥＳ判断時）、先頭２桁の数字が１加算更新された数字をファイル名に有するファイルが、つまり、「06C」が、新たな再生対象として指定される。
【００９９】
そして、処理は、ステップＳ３０へ戻される。
新たに指定された再生対象のファイルのファイル種別記号が、Ｃであるため、ステップＳ３０、ステップＳ６０、ステップＳ１５０を経て、処理はステップＳ１６０へ進められる。
【０１００】
ステップＳ１６０では、再生対象として指定されているファイルが再生される。これにより、図８の再生順序１４として、「06C」が再生される。そして、ファイル名の先頭２桁の数字が１加算更新されて、新たな再生対象のファイルが指定される。
【０１０１】
これにより、「07D」が、新たな再生対象として指定される。
そして、処理は、ステップＳ３０へ戻される。
【０１０２】
新たに再生対象として指定されたファイルのファイル種別記号がＤであるため、処理は、ステップＳ３０、ステップＳ６０、ステップＳ１５０およびステップＳ１８０を経て、ステップＳ１９０に処理が進められる。
【０１０３】
ステップＳ１７０で「07D」が指定される直前に、「06C」がステップＳ１６０で再生されていたため、ステップＳ１９０では、ＹＥＳの判断がなされて、３回再生処理がそのまま終了される。つまり、図６および図７を参照して説明した３回再生処理では、まず「01B」が再生され、次に、「02A」〜「05A」が３回繰返して再生され、そして、最後に「06C」が再生されて、３回再生処理が終了する。
【０１０４】
なお、始めに、ファイル識別記号がＤであるファイル（「07D」）が再生対象として直接指定されると、ステップＳ１９０でＮＯの判断がなされ、「07D」が３回連続で再生されて、３回再生処理が終了される（ステップＳ２００）。
【０１０５】
また、ファイル種別記号がＥであるファイル（「08E」）が、最初に、直接再生対象として指定されると、ステップＳ２１０でＮＯとなり、ステップＳ２２０で当該ファイル（「08E」）が１回再生されて（ステップＳ２２０）、３回再生処理が終了する。
【０１０６】
［７．順番再生］
再生装置１は、複数の音声ファイルが、予め定められた順番通りに再生対象として指定されたことを条件として、特定のファイルを再生することができる。このような再生に対応したテキストの表示内容を、図９に模式的に示す。
【０１０７】
テキストのページ６００には、問題文６０１と、当該問題文６０１に対応する英文を構成する単語６０２，６０３，６０４が表示されている。各単語６０２，６０３，６０４には、それぞれを指定するときに画像読取部７０を対向させる画像６０５，６０６，６０７が含まれる。
【０１０８】
「01F_d_001」は、画像６０６および単語６０３に対応し、単語６０３を発音する音声ファイルである。「02N_d_002」は、画像６０５および単語６０２に対応し、単語６０２を発音する音声ファイルである。「03N_d_003」は、画像６０７および単語６０４に対応し、単語６０４を発音する音声ファイルである。画像６０７が画像読取部７０によって画像処理部１５に取込まれることにより、取得部１１は、「03N_d_003」が再生対象として指定された情報を取得する。
【０１０９】
たとえば、あるトラック単位フォルダ内に、表５に示すように、「01F_d_001」「02N_d_002」「03N_d_003」「04E_d_004」「05U_d_005」という５個のファイルが格納されている場合について説明する。
【０１１０】
【表５】
0005312412.tif 000006
【０１１１】
この場合、「01F_d_001」「02N_d_002」「03N_d_003」という正しい順番で再生対象として指定された場合には、当該順序での再生が正解である旨をユーザに報知するための音声を出力する「04E_d_004」が、「03N_d_003」の後に再生するファイルとして指定される。具体的には、取得部１１は、画像読取部７０から入力される画像情報の画像処理部１５による処理結果に基づいて、再生対象として指定するファイルの入力順序が予め定められた順序であるか否かを判断する。予め定められた順序であると判断すると、当該順序の最後のファイルである「03N_d_003」の次に再生するファイルとして、「04E_d_004」を指定する。
【０１１２】
一方、取得部１１が取得した、再生対象として指定されたファイルの順序が予め定められたものと異なる場合には、つまり、たとえば、「01F_d_001」が指定された後、「02N_d_002」が指定されるべきところが、これとは異なる「03N_d_003」が指定されたような場合には、指定部１３は、ユーザが再生順序を誤っていることを報知する。具体的には、「05U_d_005」を、「03N_d_003」の次に再生するファイルとして指定する。
【０１１３】
［８．グループ再生］
再生装置１は、トラック単位フォルダに格納される複数のファイルの中で、不正解のグループに属するファイルが１つも指定されることなく、正解に属するグループのファイルをすべて再生対象として指定されたか否かによって、ユーザからの再生対象の指定に対して、再生するファイルを決定することができる。
【０１１４】
このようなファイルの再生態様が適用される具体例のテキストの表示内容を、図１０に示す。
【０１１５】
図１０のページ７００には、問題表示部７１０と解答入力部７２０が含まれる。問題表示部７１０には、サラダのイラスト７１１と、フォークのイラスト７１２と、りんごのイラスト７１３が含まれる。また、解答入力部７２０には、解答を開始することを報知する音声を出力するための画像７２１が含まれる。
【０１１６】
ユーザは、解答入力部７２０に含まれる、正解の音声ファイルを再生するための画像を、画像読取部７０に読込ませることにより、問題に正解することができる。
【０１１７】
解答入力部７２０には、ｍｉｌｋ（牛乳）を指定する画像７２２と、ｓｕｇｅｒ（砂糖）を指定する画像７２３と、ｆｏｒｋ（フォーク）を指定する画像７２４と、ｃｕｐ（カップ）を指定する画像７２５と、ｓａｌａｄ（サラダ）を指定する画像７２６と、ａｐｐｌｅ（りんご）を指定する画像７２７が表示されている。
【０１１８】
この例に対応したトラック単位フォルダに記憶されているファイルの内容を、表６に示す。
【０１１９】
【表６】
0005312412.tif 000007
【０１２０】
トラック単位フォルダ「01_t101」には、音声ファイル（コンテンツファイル）として、「01G_d_001」「02G_d_002」「03G_d_003」「04B_d_004」「05E_d_005」「06U_d_006」「07U_d_007」「08U_d_008」「09U_d_009」の９個のファイルが格納されている。画像７２１が画像読取部７０を介して画像処理部１５に取込まれることにより、「04B_d_004」が再生される。また、画像７２２，７２３，７２４，７２５，７２６，７２７の画像が、画像読取部７０を介して画像処理部１５に取込まれることにより、「09U_d_009」「07U_d_007」「01G_d_001」「08U_d_008」「02G_d_002」「03G_d_003」のそれぞれのファイルが再生される。
【０１２１】
表６に示されたファイルは、「04B_d_004」よりも先頭の２桁の値が低いファイルが、正解のグループのファイルであり、「06U_d_006」よりも先頭の２桁の値が高いファイルのグループが不正解のファイルのグループである。
【０１２２】
このように正解のグループと不正解のグループで、先頭の２桁の値の領域が分けられているため、取得部１１は、再生対象として指定されたファイルの先頭の２桁の値が04よりも低いものすべてが選択されたか、そして、06よりも大きい値のものが１つも選択されていないかの双方を満たす場合に、正解を報知する音声ファイル「04B_d_004」を、「01G_d_001」「02G_d_002」「03G_d_003」のすべてが指定された後に再生させるファイルとして、指定する。
【０１２３】
［９．ランダム再生］
図１１に、ランダム再生に対応するテキストの内容を表示する。テキストのページ８００には、音声の再生を開始するための画像８０１が含まれている。
【０１２４】
また、ページ８００には、「１」〜「９」に対応する数字が示されている。
表７に、ページ８００に対応する、トラック単位フォルダに格納されたファイルの内容を示す。
【０１２５】
【表７】
0005312412.tif 000008
【０１２６】
このトラック単位フォルダ「01_t101」には、画像８０１に対応するファイル「01D_d_001」と、「１」〜「９」のそれぞれに対応する９個のファイル「02X_d_002」「03X_d_003」「04X_d_004」「05X_d_005」「06X_d_006」「07X_d_007」「08X_d_008」「09X_d_009」「10X_d_010」が格納されている。「01D_d_001」は、「英語を聞いて、その絵を指差してみよう」というメッセージの音声を出力するためのファイルである。「02X_d_002」「03X_d_003」「04X_d_004」「05X_d_005」「06X_d_006」「07X_d_007」「08X_d_008」「09X_d_009」「10X_d_010」は、「１」〜「９」のそれぞれを英語で発音する音声を出力するためのファイルである。
【０１２７】
ユーザが、画像読取部７０を画像８０１に対向させることにより、画像８０１の画像が画像処理部１５に取込まれることにより、「01D_d_001」の再生を指定する情報が取得部によって取得され、ファイル記憶部４３から「01D_d_001」のデータが音声復号部５１に送られる。これにより、「01D_d_001」の音声がスピーカ５０から出力される。指定部１３は、「01D_d_001」が再生対象として指定された後、「02X_d_002」「03X_d_003」「04X_d_004」「05X_d_005」「06X_d_006」「07X_d_007」「08X_d_008」「09X_d_009」「10X_d_010」の中から、ランダムに、次に再生するファイルを指定する。
【０１２８】
［１０．変形例等］
以上説明した本実施の形態では、再生対象として指定を受付けたファイルのファイル名から、識別情報（音声ファイルのファイル種別記号および／または先頭２桁の数字）が検出され、当該検出された識別情報に基づいて、指定を受付けたファイルのファイル名が指定条件を満たすか否かによって、当該指定されたファイルの次に再生されるファイルが指定される。これにより、最初に再生対象として指定されたファイルのファイル名に基づいて、その後に再生されるファイルが決定される。これにより、指定を受付けたファイルに基づいて、ファイルの再生パターンを種々変更することができ、装置に対して設定を変更することなく、よりバリエーションに富んだ再生パターンで、複数のファイルを再生することができる。
【０１２９】
なお、以上説明した本実施の形態では、ファイルの指定は、紙などのテキストに表示された画像を、画像読取部７０で読取り、読取った画像を画像処理部１５で処理することにより、ファイルを指定する情報が取得されていた。ここで、再生装置１は、図１２に示すように、画像読取部７０と画像処理部１５の代わりに、液晶表示装置等の表示装置７２と、当該表示装置７２上に載置されたタッチパネル７１とを備え、タッチパネル７１を介して、ユーザからのファイルを指定する情報を取得してもよい。
【０１３０】
また、本実施の形態では、ファイル名に基づいて、指定されたファイルの次に再生されるファイルを指定できることから、ファイル名の判断基準である所定条件を、既存の音声ファイルのファイル名を利用したものとすることにより、既に他の用途（たとえば、音楽鑑賞用）で市販等されている音声ファイルの再生順序を適宜調整することができる。
【０１３１】
また、以上説明した本実施の形態では、学習用のテキストに合せて、音声ファイルを再生させる場合に適用されたが、本発明は、他に、ゲーム機や、美術館や公共施設の順路や展示品の案内に利用できる。美術館の展示品の案内であれば、たとえば、複数の展示品についてのそれぞれの解説用の音声ファイルが記憶されている場合が想定される。
【０１３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態で説明された技術的思想は、単独で実施されても良いし、可能な限り組み合わされて実施されることも意図される。
【符号の説明】
【０１３３】
１  再生装置、１０  ＣＰＵ、１１  取得部、１３  指定部、１５  画像処理部、７０  画像読取部。
【図１】
0005312412.tif 000009
【図２】
0005312412.tif 000010
【図３】
0005312412.tif 000011
【図４】
0005312412.tif 000012
【図５】
0005312412.tif 000013
【図６】
0005312412.tif 000014
【図７】
0005312412.tif 000015
【図８】
0005312412.tif 000016
【図９】
0005312412.tif 000017
【図１０】
0005312412.tif 000018
【図１１】
0005312412.tif 000019
【図１２】
0005312412.tif 000020